(57)【要約】      （修正有）【課題】順番待ちの人達が時間の経過に伴って感じるストレスを少しでも緩和し、楽しい気分で順番が待てるようにするため、パーテーションスタンドに動植物、キャラクタその他の物体を模造した装飾体の装着を可能にするヘッドカバー、及びその装飾体並びに装飾体が装着されたパーテーションスタンドを提供する。【解決手段】仕切りを行うベルト若しくはロープを係止するパーテーションスタンドであって、矩形の切欠部が複数、周設されたポール３に、動植物、キャラクタその他の物体を模造した装飾体２０が係止され、該切欠部によってベルト若しくはロープを自在に通過させるヘッドカバー１０が装着される。ヘッドカバー１０には、装飾体２０を係止する係合部材が結合される。【選択図】図１
0003212625.tif 000002
【実用新案登録請求の範囲】
【請求項１】
仕切りを行うベルト若しくはロープを係止するパーテーションスタンドであって、
複数の矩形の切欠部が周設され、前記ベルト若しくは前記ロープが自在に通過する筒状部材に、動植物、キャラクタその他の物体を模造した装飾体が係止されたヘッドカバーを装着したことを特徴とするパーテーションスタンド。
【請求項２】
パーテーションスタンドに被せるヘッドカバーであって、
複数の矩形の切欠部が周設された筒状部材の底面に、動植物、キャラクタその他の物体を模した装飾体を係止する係合部材が結合されたことを特徴とするヘッドカバー。
【請求項３】
前記切欠部それぞれは、パーテーションスタンド相互を連結するベルト若しくはロープが通過する幅と、前記筒状部材の開口端から前記底面近傍までの長さとを有することを特徴とする請求項２記載のヘッドカバー。
【請求項４】
前記筒状部材は、金属を成形したものであって、
前記係合部材は、前記底面に溶接された、前記装飾体に螺合するボルトであることを特徴とする請求項２記載のヘッドカバー。
【請求項５】
前記筒状部材は、樹脂を成形したものであって、
前記係合部材は、前記底面の孔に挿通された、前記装飾体に螺合するボルトであることを特徴とする請求項２記載のヘッドカバー。
【請求項６】
動植物、キャラクタその他の物体を樹脂で模造し、パーテーションスタンドに被せるヘッドカバーの係合部材に係止される係止部材が挿入されたことを特徴とする装飾体。
【考案の詳細な説明】
【技術分野】
【０００１】
本考案は、動植物、キャラクタその他の物体を模造した装飾体を取り付けたパーテーションスタンド及び装飾体を取り付け可能にするヘッドカバー並びにその装飾体に関する。
【背景技術】
【０００２】
近年、国際交流が活発化し、その波は首都圏のみならず地方にも波及している。
また、地域活性化のための各種イベントが全国各地で行われ、多くの人が集い、盛り上がる機会も増えている。そのような会場等において多くの参加者が一定の秩序を保ち整然とした行動を促すツールとして、空港、バスターミナルをはじめ、劇場、映画館、展示会場など各種催事場で広いスペースを複数の区画に分けたり、歩行路を設けたり、歩行者の進入を禁止するゲートを設ける場合に、境界線を任意に設定、変更することが可能で、撤去も簡便なベルトパーテーションが盛んに用いられている。
例えば、所望の間隔で配設するポール相互をベルトで連結する際に、ベルトの巻回リールと、布勢手段と、ベルトを外部に導出する導出部と、ベルトエンドを着脱自在に係合するベルト受部材が複数設けられ、それが周方向に自在に回転するパーテーションスタンド（特許文献１）、筒状ケースの外周面に内部の幅が広くなった掛止溝を径方向に周設するとともに、その掛止溝にベルトの先端を掛止できる掛止具が連結された仕切り用支柱（特許文献２）など、自由な形状の柵を形成することが可能なベルトパーテーションが開示されている。
また、ベルトの引き出し口を形成加工する容易性と、落下時の衝撃を緩和するために合成樹脂で形成され、その際の型を製造することの容易性から、筒形周壁部を軸方向に分割し、複数の側壁部によって構成されたベルトパーテーション（特許文献３）が開示されている。
また、順番待ちのために列をなしている人々が時間の経過につれて感じるストレスを緩和するため、施設に関連する情報、催し物に情報などを携帯端末で受信できるように複数の情報提供部をベルトの長手方向に形成させたベルトパーテーション（特許文献４）が開示されている。
【先行技術文献】
【特許文献】
【０００３】
【特許文献１】実用新案登録第３００８７６２号公報
【特許文献２】特開平１１−１３０３１号公報
【特許文献３】特許第４５６３７７１号公報
【特許文献４】特開２０１４−１８１５３３号公報
【考案の概要】
【考案が解決しようとする課題】
【０００４】
しかしながら、特許文献４に記載されたものは、携帯端末に専用のアプリケーションをインストールする必要があり、情報を受信するのが簡単でない上、コスト上の問題がある。
本考案は、上記事情に鑑み、順番待ちの人達が時間の経過に伴って感じるストレスを少しでも緩和し、楽しい気分で順番が待てるようにするため、動植物、キャラクタその他の物体を模造した装飾体が装着されたパーテーションスタンド、及びその装着を容易にするヘッドカバー並びに装飾体を提供することを目的とする。
【課題を解決するための手段】
【０００５】
本考案のパーテーションスタンドは、仕切りを行うベルト若しくはロープを係止するパーテーションスタンドであって、複数の矩形の切欠部が周設され、上記ベルト若しくは上記ロープが自在に通過する筒状部材に、動植物、キャラクタその他の物体を模造した装飾体が係止されたヘッドカバーを装着したことを特徴とする。
このように、パーテーションスタンドに動植物、キャラクタその他の物体を模造した装飾体が装着されれば、その行列が何の行列であるかを離れた場所でも分かりやすくなり、同時に、順番を待って並んでいる顧客が感じるストレスを緩和し、楽しい気分にすることができる。
【０００６】
本考案のヘッドカバーは、パーテーションスタンドに被せるヘッドカバーであって、
複数の矩形の切欠部が周設された筒状部材の底面に、動植物、キャラクタその他の物体を模した装飾体を係止する係合部材が結合されたことを特徴とする。
このようなヘッドカバーを用いれば、動植物、キャラクタその他の物体を模した様々な装飾体をパーテーションスタンドに時宜に応じて取り付けることが出来る。
その場合、上記切欠部それぞれは、パーテーションスタンド相互を連結するベルト若しくはロープが通過する幅と、上記筒状部材の開口端から上記底面近傍までの長さとを有することにすれば、ベルトやロープで連結されたパーテーションスタンドのヘッドにすっぽりと被せることができる。
そして、上記筒状部材は、金属を成形したものであって、上記係合部材は、上記底面に溶接された、上記装飾体に螺合するボルトであってもよいし、上記筒状部材は、樹脂を成形したものであって、上記係合部材は、上記底面の孔に挿通された、上記装飾体に螺合するボルトであってもよい。
【０００７】
本考案の装飾体は、動植物、キャラクタその他の物体を樹脂で模造し、パーテーションスタンドに被せるヘッドカバーの係合部材に係止される係止部材が挿入されたことを特徴とする。
このような装飾体であれば、パーテーションスタンドに装飾体を装着するのが容易である。
【考案の効果】
【０００８】
本考案のパーテーションスタンドによれば、動植物、キャラクタその他の物体を模造した様々な装飾体を時宜に応じて装着することが出来るので、順番待ちの行列が何の行列であるかを離れた場所でも分かりやすく伝えることができ、同時に、順番を待って並んでいる顧客を楽しい気分にすることもできる。また、本考案のヘッドカバーを用いれば、取り換え自在に装飾体を係止して、既存のパーテーションスタンドに簡単に装着することができる。さらに、本考案の装飾体であれば、ヘッドカバーに簡単に装着することができる。
【図面の簡単な説明】
【０００９】
【図１】図１は本実施形態のパーテーションスタンドの一例を示す全体図である。
【図２】図２は本実施形態のヘッドカバー及び装飾体の拡大図である。
【図３】図３は本実施形態のヘッドカバーに装飾体を取り付ける状況を示す図である。
【図４】図４は本実施形態のヘッドカバーの一例を示す斜視図である。
【図５】図５は本実施形態のヘッドカバーの一例の底面を示す平面図である。
【図６】図６は本実施形態のヘッドカバーの一例の側面図である。
【図７】図７は本実施形態のヘッドカバーの一例の開口端を示す底面図である。
【考案を実施するための形態】
【００１０】
以下に、本考案のパーテーションスタンド、ヘッドカバー及び装飾体の実施形態について説明する。
図１〜図３は、本実施形態のパーテーションスタンドの一例を示す図であり、図１は、全体図、図２は、本実施形態のパーテーションスタンドに装着される本実施形態のヘッドカバー及び装飾体の拡大図、図３は、ヘッドカバーに装飾体を取り付ける状況を示す図である。
図1に一例を示す本実施形態のパーテーションスタンド１は、相互をベルトで連結することにより、顧客等を順序良く並ばせる誘導機能を持たせるもので、台座２と、台座に固定されるポール３と、ベルトを内蔵するキャップ４と、そのキャップ４に被せたヘッドカバー１０とを有する。そして、ヘッドカバー１０には、樹脂で模造したチョコレート（本考案の「装飾体」に相当する。）２０が係止されている。
従って、例えばバレンタインデーに開催されたイベント等において商品を販売する順路の設定等に用いることができる。すなわち、バレンタインデーに関連する模造のチョコレート（装飾体）２０がパーテーションスタンド１に装着されていれば、その行列が何の行列であるかを離れた場所からでも分かりやすく伝えることができる。それと同時に、順番を待って並んでいる顧客が感じるストレスを緩和することや、顧客を楽しい気分にさせることができる。
ここでは、チョコレートを装飾体２０とする例を示したが、例えばハロウインのイベントでは、装飾体２０をカボチャのキャラクタを模造したものとすることができる。
装飾体２０は、このように、イベントの内容、会場の広さや雰囲気に応じて、動植物、キャラクタ、飲食物、日用品など、関連する物品や連想される物品などを模造して製作することができる。なお、装飾体２０の製作は、樹脂を手作業で成形してもよいし、３Ｄプリンタ等で造形してもよい。
本実施形態のパーテーションスタンド１は、ベルトを内蔵するキャップ４を有するが、必ずしもベルトを内蔵するキャップ４に限定する必要はなく、ロープ等を掛止するキャップ４であってもよい。
【００１１】
図２及び図３に一例を示す本実施形態のヘッドカバー１０は、筒状部材１１の側面に複数のスリット（本考案の「切欠部」に相当する。以下同じ。）１２が周設されており、上に向けた底面１３に、ボルト（本考案の「係合部材」に相当する。以下同じ。）１５が垂直に結合されている。
また、図２及び図３に一例を示す本実施形態の装飾体２０は、樹脂でチョコレートを模造したもので、底部には、係止部材２１が挿入されている。
係止部材２１は、ヘッドカバー１０の底面１３よりも小径の円盤部材２２と、ボルト１５に螺合するナット２３と、装飾体２０に挿入される棒状体２４とを結合し、それらが一体化された構造のものを用いている。従って、ヘッドカバー１０のボルト１５に、この係止部材２１を螺合させて矢印Ａのように回転すれば、装飾体２０を装着したヘッドカバー１０が完成する。
ここで、本実施形態の係止部材２１は、円盤部材２２と、ナット２３と、棒状体２４とにより構成されているが、必ずしもこの構成に限定する必要はなく、装飾体２０にしっかりと固定され、かつヘッドカバー１０に螺合するものであればよい。
【００１２】
図４〜図７は、本実施形態のヘッドカバーの一例を示す図であり、図４は斜視図、図５は底面を示す平面図、図６は側面図、図７は開口端を示す底面図である。
図４〜図７に示すように、本実施形態のヘッドカバー１０は、筒状部材１１の外周に複数の矩形のスリット１２が形成され、底面１３には装飾体を係止するボルト１５が結合されている。そして、底面１３を上に向けて、図１に示したように装飾体２０を係止し、パーテーションスタンド１のキャップ４に被せて使用する。
筒状部材１１は、円筒形をなし、外周面に複数の矩形のスリット１２が対向するように形成されている。本実施形態においては、樹脂を成形加工して作成しているが、必ずしも樹脂製に限定する必要はなく、ステンレスなどの金属を成形加工し、さらにメッキや塗装を施したものであってもよい。また、筒状部材１１は、円筒で構成されているが、必ずしも円筒である必要はなく、キャップ４に対応した形状の筒状部材１１であればよい。
【００１３】
ボルト（係合部材）１５は、樹脂で模した装飾体２０、あるいは３Ｄプリンタ等で造形した装飾体２０に挿入された係止部材（ナット等を含む）２１を係止する部材である。
したがって、本実施形態のヘッドカバー１０のように、樹脂製であれば、底面１３に孔１４を開け、その孔１４にボルト１５を挿通し、そのボルト１５に係止部材２１のナット２３を螺合させることにより、ヘッドカバー１０にしっかりと装飾体２０を固定できる。
ただし、筒状部材１１が金属製の場合には、本実施形態のように孔１４を設けてボルト１５を挿通させてもよいし、ヘッドのないボルト１５を、底面１３に溶接してもよい。
【００１４】
本実施形態のヘッドカバー１０は、外径が７０ｍｍ、内径が６６ｍｍに設定され、周面には、対向する２組のスリット１２が直交するように周設されている。そして、スリット１２は、幅が１３ｍｍ、長さが８３ｍｍに設定されている。
従って、パーテーションスタンド１がベルトで直線的に連結されている場合のみならず、直交するように連結されている場合であっても対応することができる。
ここで示した寸法やスリット１２の数及び隣接スリット１２相互がなす角度（ここでは９０度）は、一例であって必ずしもここで示した寸法やスリット１２の数、角度に限定する必要はなく、ロープで連結されている場合には、スリット１２の幅をさらに拡げてもよいし、順番待ちの列を鈍角又は鋭角に曲げるために、相互を鋭角にした多数のスリット１２を形成させてもよい。
【産業上の利用可能性】
【００１５】
パーテーションのほか、ガードレールその他の支柱にも活用できる。
【符号の説明】
【００１６】
１    パーテーションスタンド
２    台座
３    ポール
４    キャップ
１０  ヘッドカバー
１１  筒状部材
１２  スリット
１３  底面
１４  孔
１５  ボルト
２０  装飾体
２１  係止部材
２２  円盤部材
２３  ナット
２４  棒状体
【図１】
0003212625.tif 000003
【図２】
0003212625.tif 000004
【図３】
0003212625.tif 000005
【図４】
0003212625.tif 000006
【図５】
0003212625.tif 000007
【図６】
0003212625.tif 000008
【図７】
0003212625.tif 000009